(57)【特許請求の範囲】
【請求項１】
改修対象柱の互いに対向する両側面に、改修予定箇所よりも下側柱部分から上側柱部分にかけて、鋼材からなるジャッキ付きの仮設支柱を、上下方向に一直線状となる状態、かつ、前記改修対象柱の前記側面に接触する状態で少なくとも一対沿わせると共に、
前記下側柱部分と上側柱部分とに、前記仮設支柱を押付けて摩擦力を発生させ、
前記ジャッキに伸張力を発揮させて、前記仮設支柱を介して前記改修対象柱の改修予定箇所に掛かる軸力を除荷し、
前記改修予定箇所を改修施工した後、
前記ジャッキによる伸張力を解除して、前記改修対象柱に軸力を導入させる多層階建築物の柱改修方法。
【請求項２】
前記改修対象柱に連設し、且つ、その改修対象柱における改修予定箇所の位置する階よりも下の階の下階柱と上の階の上階柱とにわたり、前記仮設支柱を配設し、
前記仮設支柱を押付ける下側柱部分を前記下階柱に設定し、前記仮設支柱を押付ける上側柱部分を前記上階柱に設定する請求項１に記載の多層階建築物の柱改修方法。
【請求項３】
複数の前記仮設支柱を、前記改修対象柱における改修予定箇所の位置する階と、前記下階柱の位置する階、及び、前記上階柱の位置する階とに各別に設けると共に、上下に互いに軸力伝達可能に設けてある請求項２に記載の多層階建築物の柱改修方法。
【請求項４】
前記仮設支柱を、前記改修対象柱における改修予定箇所の位置する階と、前記下階柱の位置する階、及び、前記上階柱の位置する階とにわたり、各階の床スラブを貫通する状態に設けた一連の部材で形成してある請求項２に記載の多層階建築物の柱改修方法。
【請求項５】
前記摩擦力を発生させるのに、前記下側柱部分又は前記上側柱部分と前記少なくとも一対の仮設支柱とを挟み込む一対の押圧部を備えた挟持用鋼材を設け、前記一対の押圧部に亘って架け渡すＰＣ鋼棒の緊張力によって、前記仮設支柱を下側柱部分と上側柱部分で前記改修対象柱に押付ける請求項１又は２に記載の多層階建築物の柱改修方法。
【発明の詳細な説明】
【技術分野】
【０００１】
本発明は、多層階建築物の柱改修方法に関する。
【背景技術】
【０００２】
例えば、特定の柱の補強のための改修や、地震により損傷を受けた柱部分の改修に関し、改修施工前に改修対象柱の改修予定箇所に掛かる軸力を除荷しなければならず、その除荷方法として一般的に、床スラブと柱両側の大梁端部間にジャッキ付きの仮設鋼材支柱を取り付ける方法と、柱の改修予定箇所の上下にアンカーを設置し、その上下のアンカーにジャッキ付き仮設鋼材支柱の両端部を取り付ける方法が知られている。
しかし、前者の方法は、比較的低層階の建物で柱にかかる軸力の小さい場合に使用できるが、高層階の建物で、柱にかかる軸力が大きくなると大梁の強度が対応できず、使用困難になる。
また、後者の方法では、柱にかかる軸力が大きな高層階の建物にも対応できるものの、柱内の配筋が密な場合は、アンカーの設置が困難で、使用できなくなる場合がある。
【０００３】
そこで、柱の改修予定箇所の上下に、柱の全周を取り囲んで挟持する仮受け張出部材を設け、それら上下の仮受け張出部材間にジャッキ付きの仮設鋼材支柱を設けて、ジャッキの伸張力を発揮させて、改修予定箇所の軸力を除荷する方法を利用することが考えられる（例えば特許文献１参照）。
【先行技術文献】
【特許文献】
【０００４】
【特許文献１】特開２００６−８３５１６号公報
【発明の概要】
【発明が解決しようとする課題】
【０００５】
上述した方法においては、ジャッキによる伸張力が仮受け張出部材を介して柱に伝達されるに伴って、柱からジャッキ付きの仮設鋼材支柱までの間が離れているために、仮受け張出部材にモーメントが働き、仮受け張出部材の柱に対する挟持姿勢が不安定になり、仮受け張出部材と柱の間に充分な摩擦力が発生せずに、仮受け張出部材の補強をしなければ、ジャッキによる伸張力を柱に効率よく伝達できないという問題があり、また、仮設鋼材支柱には、仮受け張出部材に対するモーメントによって曲げ力が作用しやすく、この仮設鋼材支柱も補強しなければならないという問題がある。
【０００６】
従って、本発明の目的は、上記問題点を解消し、簡単な方法で柱の改修予定箇所の軸力除荷ができるようにするところにある。
【課題を解決するための手段】
【０００７】
本発明の第１の特徴構成は、改修対象柱の互いに対向する両側面に、改修予定箇所よりも下側柱部分から上側柱部分にかけて、鋼材からなるジャッキ付きの仮設支柱を、上下方向に一直線状となる状態、かつ、前記改修対象柱の前記側面に接触する状態で少なくとも一対沿わせると共に、前記下側柱部分と上側柱部分とに、前記仮設支柱を押付けて摩擦力を発生させ、前記ジャッキに伸張力を発揮させて、前記仮設支柱を介して前記改修対象柱の改修予定箇所に掛かる軸力を除荷し、前記改修予定箇所を改修施工した後、前記ジャッキによる伸張力を解除して、前記改修対象柱に軸力を導入させるところにある。
【０００８】
本発明の第１の特徴構成によれば、ジャッキ付きの仮設支柱が、改修対象柱の対向する両側面との摩擦力により、ジャッキの伸張力を改修対象柱に直接伝達することになり、効率よく改修予定箇所の除荷ができる。
従って、仮設支柱を必要以上に補強することなく、しかも、仮設支柱を改修対象柱に直接押付けるだけの簡単な方法により、改修予定箇所の除荷をして改修でき、その改修後は、ジャッキによる伸張力を解除するだけで、改修対象柱の改修後の強度を建物に発揮させることができる。
【０００９】
本発明の第２の特徴構成は、前記改修対象柱に連設し、且つ、その改修対象柱における改修予定箇所の位置する階よりも下の階の下階柱と上の階の上階柱とにわたり、前記仮設支柱を配設し、
前記仮設支柱を押付ける下側柱部分を前記下階柱に設定し、前記仮設支柱を押付ける上側柱部分を前記上階柱に設定するところにある。
【００１０】
本発明の第２の特徴構成によれば、改修対象柱に対して仮設支柱の摩擦力を作用させる箇所を、上階柱及び下階柱に設定することにより、ジャッキの伸張力を、柱の上下方向のより広い範囲に作用させて、柱の軸力の除荷範囲を大きく広げることができる。
従って、広範囲にわたる柱の改修施工ができるようになる。
【００１１】
本発明の第３の特徴構成は、複数の前記仮設支柱を、前記改修対象柱における改修予定箇所の位置する階と、前記下階柱の位置する階、及び、前記上階柱の位置する階とに各別に設けると共に、上下に互いに軸力伝達可能に設けてあるところにある。
【００１２】
本発明の第３の特徴構成によれば、仮設支柱を上下階に亘って互いに軸力伝達可能に複数本設けることにより、仮設支柱の組付け施工が簡単にできながら、上下広い範囲にわたる柱の改修が、できるようになる。
【００１３】
本発明の第４の特徴構成は、前記仮設支柱を、前記改修対象柱における改修予定箇所の位置する階と、前記下階柱の位置する階、及び、前記上階柱の位置する階とにわたり、各階の床スラブを貫通する状態に設けた一連の部材で形成してあるところにある。
【００１４】
本発明の第４の特徴構成によれば、床スラブを貫通する一連の部材で形成する仮設支柱により、改修対象柱に対する軸力除荷作用を、効率よくできる。
【００１５】
本発明の第５の特徴構成は、前記摩擦力を発生させるのに、前記下側柱部分又は前記上側柱部分と前記少なくとも一対の仮設支柱とを挟み込む一対の押圧部を備えた挟持用鋼材を設け、前記一対の押圧部に亘って架け渡すＰＣ鋼棒の緊張力によって、前記仮設支柱を下側柱部分と上側柱部分で前記改修対象柱に押付けるところにある。
【００１６】
本発明の第５の特徴構成によれば、下側柱部分又は上側柱部分で仮設支柱を押付けて摩擦力を発揮させるのに、ＰＣ鋼棒に作用させる緊張力により、挟持用鋼材を介して仮設支柱を改修対象柱に押付けるだけでよく、簡単な方法で柱の改修ができる。
【図面の簡単な説明】
【００１７】
【図１】全体斜視図である。
【図２】（ａ）横断面図、（ｂ）側面図である。
【図３】床スラブの縦断面図である。
【図４】床スラブの縦断面図である。
【図５】別実施形態の施工図で、（ａ）横断面図、（ｂ）側面図である。
【図６】別実施形態の横断面図である。
【発明を実施するための形態】
【００１８】
以下に本発明の実施の形態を図面に基づいて説明する。
【００１９】
〔第１実施形態〕
図１〜図２に示すように、鉄筋コンクリート製（ＲＣ造）の柱が多層階に亘って連接してある多層階の建物において、補強のために改修施工が必要な改修対象箇所を有する改修対象柱１に対し、次の工程で柱の改修が行われる。
１．  改修対象柱１の互いに対向する両側面に、改修予定箇所１Ａよりも下側柱部分１Ｂから上側柱部分１Ｃにかけて、鋼材としてＨ形鋼からなるジャッキ２付きの仮設支柱３を少なくとも一対沿わせ、
２．  下側柱部分１Ｂと上側柱部分１Ｃとに、夫々一対の仮設支柱３を挟み込む一対の押圧部４を両端側に備えた平面視でコの字型の挟持用鋼材５を、Ｈ形鋼から形成して配置し（図２（ａ））、
３．  挟持用鋼材５における一対の押圧部４に亘ってＰＣ鋼棒を架け渡し、そのＰＣ鋼棒を引っ張って、その緊張力によって、仮設支柱３を下側柱部分１Ｂと上側柱部分１Ｃで改修対象柱１に押付けて、両者間に摩擦力を発生させ、
４．  ジャッキ２に伸張力を発揮させて、仮設支柱３を介して改修対象柱１の改修予定箇所１Ａに掛かる軸力を除荷し（図２（ｂ））、
５．  改修予定箇所１Ａを改修施工した後、
６．  ジャッキ２による伸張力を解除して、改修対象柱１に軸力を導入させる。
【００２０】
前記下側柱部分１Ｂは、改修対象柱１における改修予定箇所１Ａの位置する階よりも下の階の下階柱であり、前記上側柱部分１Ｃは、改修対象柱１における改修予定箇所１Ａの位置する階よりも上の階の上階柱であり、複数の仮設支柱３を、改修予定箇所１Ａの位置する階と、下階柱の位置する階、及び、上階柱の位置する階とに各別に設けると共に、上下に互いに軸力伝達可能に設けてある。
つまり、上下に複数の仮設支柱３が上下に互いに軸力伝達可能に設けるために、図４に示すように、床スラブ７において仮設支柱３が接当する部分を、鋼板８及び高強度コンクリート９により補強する。又は、図３に示すように、床スラブ７と仮設支柱３との間に、仮設支柱３の断面よりも大きな鋼板８を、介在させる。
【００２１】
〔第２実施形態〕
図５（ａ）及び図５（ｂ）に、前記仮設支柱３を、改修対象柱１における改修予定箇所１Ａの位置する階と、下階柱の位置する２階層夫々の階、及び、上階柱の位置する２階層夫々の階とにわたり、各階の床スラブ７を貫通する状態に設けた一連の部材で形成してある例を示す。
前記改修対象柱１に対して、横断面視で幅方向の中央部に主の仮設支柱３Ａを押付けられない場合には、ＰＣ鋼棒の緊張により主の仮設支柱３Ａを改修対象柱１に押付けた後、ジャッキ２による伸張作動で挟持用鋼材５に回転モーメントが働くのを抑えるために、更に一対のジャッキ２付きの補助の仮設支柱３Ｂを、ＰＣ鋼棒とは柱幅方向の反対側に配置し、この補助の仮設支柱３Ｂもジャッキ２を伸張させる。このときの補助の仮設支柱３Ｂに対するジャッキ２の伸張力は、主の仮設支柱３Ａのジャッキ２の伸張力よりも少ない力で良い。
【００２２】
〔別実施形態〕
以下に他の実施の形態を説明する。
【００２３】
〈１〉  前記改修対象柱１は、鉄筋コンクリート製（ＲＣ造）の柱以外に、鉄骨製（Ｓ造）や鉄筋鉄骨製（ＳＲＣ造）の柱であっても、本発明は適応できる。
〈２〉  前記挟持用鋼材５としては、図６に示すように、改修対象柱１の両側面側に配置する一対のＨ形鋼を設け、その一対のＨ形鋼夫々の両端部に、ＰＣ鋼棒を取り付け、ＰＣ鋼棒を緊張して緊張反力により仮設支柱３を改修対象柱１に押圧する構成であっても良い。
【００２４】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００２５】
１      改修対象柱
１Ａ    改修予定箇所
１Ｂ    下側柱部分
１Ｃ    上側柱部分
２      ジャッキ
３      仮設支柱
４      押圧部
５      挟持用鋼材
６      ＰＣ鋼棒
【図１】
0005647448.tif 000002
【図２】
0005647448.tif 000003
【図３】
0005647448.tif 000004
【図４】
0005647448.tif 000005
【図５】
0005647448.tif 000006
【図６】
0005647448.tif 000007